(57)【要約】      （修正有）【課題】負の温度係數を有する温度検知素子で環境温度を検知してモータへフィードバックし、回転数を制御して、システムの環境温度を維持することができる温度制御のブラシレスモータ制御回路を提供する。【解決手段】ブラシレスモータ制御回路は、制御素子１０と、ホール素子１１と、負の温度係數を有する温度検知素子（NTC negative temperature coefficient）と、モータ１３と、複数の抵抗や、容量、ダイオード及びトランジスターとからなる。【選択図】図1
0003106141.tif 000002
【実用新案登録請求の範囲】
【請求項１】
制御素子と、それぞれの当該制御素子に接続されるホール素子と、逆方向保護及び減圧回路と、トランジスター増幅回路と、消除磁気ノイズ及び保護回路と、負の温度係數を有する温度検知素子（NTC negative temperature
coefficient）と、温度制御線路とからなる制御回路であって、
当該制御素子は制御回路の中心であり、また、当該制御素子は一つ以上のピンを有し、
当該ホール素子はモータのローターの位置を検知し、これによりモータの稼動状況が分かり、
当該逆方向保護及び減圧回路は、逆方向電圧をフィードバックすることを防止するとともに、逆方向に接続頭を接続することにより、保護線路制御素子が破壊されることを防止し、また、制御素子の電圧を許可される範囲に保持し、
当該トランジスター増幅回路は、出力パワーが固定である制御素子に、出力パワーを強化させて増幅機能を実現し、
当該磁気ノイズ削除及び保護回路は、コイル端の逆起電力を防止し、主な機能が定圧であり、逆起電力を同一の電圧下に抑制し、同時に、両誘導の間に発生した細微な磁気ノイズも、この回路によって吸收され、
当該負の温度係数を有する温度検知素子と、温度制御線路とは、単に、温度を感応し、更に電圧差異の比較を利用することにより、スイッチとされ、回転数は温度の上昇に従って上昇する、
ことを特徴とする、温度制御のブラシレスモータ制御回路。
【請求項２】
当該制御素子は、LB１８６８Mチップや、他の、LB１８６８Mチップに類似する機能を有するワンチップ素子である、ことを特徴とする、請求項１に記載の温度制御のブラシレスモータ制御回路。
【請求項３】
当該制御素子の第１のピン（IN-）は当該ホール素子に接続され、また、当該制御素子の第１のピンはホール素子の第４のピン（IN-）に接続される、ことを特徴とする、請求項１に記載の温度制御のブラシレスモータ制御回路。
【請求項４】
当該制御素子の第２のピン（IN+）はホール素子の第２のピン（IN+）に接続される、ことを特徴とする、請求項１に記載の温度制御のブラシレスモータ制御回路。
【請求項５】
当該制御素子の第３のピン（CT）は第１の容量と接続され、また、当該ホール素子の第３のピンと接続されて、グラウンドされる、ことを特徴とする、請求項１に記載の温度制御のブラシレスモータ制御回路。
【請求項６】
当該制御素子の第６のピン（OUT１）は第１、２、３、４の抵抗と接続され、また、当該第４の抵抗を介して、制御素子の第９のピン（OUT2）と接続され、また、当該第１、２の抵抗の間には第３のトランジスターのベースが接続され、また、当該第３、４の抵抗の間には第４のトランジスターのベースが接続され、また、当該第３、４のトランジスターのエミッタの間には第１のダイオードが接続され、当該第１のダイオードは電源と接続され、また、当該第３、４のトランジスターのコレクタにはモータが接続され、当該モータには、第２のダイオードと第３のダイオードとが接続され、また、当該第１、第２のダイオードの間にはツェナーダイオード(Zener
Diode)が接続され、当該ツェナーダイオードには更に第２のトランジスターが接続され、当該第２のトランジスターには第５、６、７の抵抗が接続され、また、当該第６の抵抗は当該ツェナーダイオードに接続され、また、当該第７の抵抗は電源と接続され、また、当該第５、７の抵抗の間には第１のトランジスターのベースが接続され、当該第１のトランジスターのコレクタには第８の抵抗が接続され、エミッタには、第４のダイオードが接続され、また、当該第４のダイオードには、それぞれに、第９の抵抗と、負の温度係數を有する温度検知素子（NTC negative temperature coefficient）とが接続され、また、当該負の温度係數を有する温度検知素子には、電源と、コネクターの第３のピンとが接続され、また、当該コネクターの第２のピンは、当該第９の抵抗と接続された後、グラウンドされる、ことを特徴とする、請求項１に記載の温度制御のブラシレスモータ制御回路。
【請求項７】
当該制御素子の第７のピン（GND）はグラウンドされ、当該制御素子の第１０のピン（Z１）は第１１のピン（Z2）と接続される、ことを特徴とする、請求項１に記載の温度制御のブラシレスモータ制御回路。
【請求項８】
当該制御素子の第１３のピン（RD）は当該コネクターの第１のピンと接続される、ことを特徴とする、請求項１に記載の温度制御のブラシレスモータ制御回路。
【請求項９】
当該制御素子の第１４のピン（VIN）には第１０の抵抗が接続され、第１０の抵抗はホール素子の第１のピンと接続され、また、当該第１４のピンには、更に、電源と接続される第１１の抵抗と、グラウンドするための第２の容量とが接続され、当該第２の容量は当該制御素子の第７のピンと接続される、ことを特徴とする、請求項１に記載の温度制御のブラシレスモータ制御回路。
【考案の詳細な説明】
【技術分野】
【０００１】
本考案は、温度制御のブラシレスモータ制御回路に関し、特に、負の温度係數を有する温度検知素子（NTC negative temperature coefficient）でモータの稼動環境温度を検知して、フィードバックし、モータの回転数を制御するものに関する。
【背景技術】
【０００２】
一般の、従来のモータ制御回路（図６のように）は、当該制御素子Gの第１、2のピンに、ホール素子Aが接続され、また、当該第６、９のピンにモータBが接続され、また、当該モータBにダイオードDが接続され、当該ダイオードDに第１の抵抗Eが接続され、そして、第１４のピンが接続され、また、当該第１４のピンに第２の抵抗Fが接続され、当該第２の抵抗Fにホール素子Aが接続され、これにより、モータ制御回路が構成される。
【０００３】
上記のモータ制御回路は、モータBのオン/オフを制御できるが、当該モータBは、ダイオードDと第１の抵抗Eとを、第１４のピンに接続するだけで、簡単な制御回路を形成するので、また、固定電流をモータBに供給するから、当該モータBが定速度（高速）で稼動され、そのために、環境温度が高すぎると、当該制御回路には、いかなる対応の対策が取られず、システム整体や制御素子Gが過熱になって、システム整体が稼動できない状態になる。
【考案の開示】
【考案が解決しようとする課題】
【０００４】
本考案の主な目的は、環境温度が高すぎて制御回路がいかなる対応の対策を取られない問題点を解決するために、負の温度係數を有する温度検知素子（NTC negative temperature coefficient）で温度を検知してフィードバックし、適当な電流を与えて、さらに、モータの稼動を制御し、また、異なる温度により異なる回転数を提供し、これにより、環境温度が高すぎる場合、モータの回転数を加速して放熱をすばやく行う。
【課題を解決するための手段】
【０００５】
本考案は、制御素子と、それぞれの当該制御素子に接続されるホール素子と、逆方向保護及び減圧回路と、トランジスター増幅回路と、消除磁気ノイズ及び保護回路と、負の温度係數を有する温度検知素子（NTC negative temperature
coefficient）と、温度制御線路とからなる制御回路であって、当該制御素子は制御回路の中心であり、また、当該制御素子は一つ以上のピンを有し、当該ホール素子はモータのローターの位置を検知し、これによりモータの稼動状況が分かり、当該逆方向保護及び減圧回路は、逆方向電圧をフィードバックすることを防止するとともに、逆方向に接続頭を接続することにより、保護線路制御素子が破壊されることを防止し、また、制御素子の電圧を許可される範囲に保持し、当該トランジスター増幅回路は、出力パワーが固定である制御素子に、出力パワーを強化させて増幅機能を実現し、当該磁気ノイズ削除及び保護回路は、コイル端の逆起電力を防止し、主な機能が定圧であり、逆起電力を同一の電圧下に抑制し、同時に、両誘導の間に発生した細微な磁気ノイズも、この回路によって吸收され、当該負の温度係数を有する温度検知素子と、温度制御線路とは、単に、温度を感応し、更に電圧差異の比較を利用することにより、スイッチとされ、回転数は温度の上昇に従って上昇する、ことを特徴とする温度制御のブラシレスモータ制御回路である。
【考案の効果】
【０００６】
本考案の温度制御のブラシレスモータ制御回路によれば、負の温度係數を有する温度検知素子で環境温度を検知してモータへフィードバックし、回転数を制御して、システムの環境温度を維持することができる。
【考案を実施するための最良の形態】
【０００７】
図１、２、３、４、５は、それぞれ、本考案のブロック区分図、本考案の制御回路の回路図、本考案の制御素子の回路図、本考案のモータが稼動された直後の電流波形図、本考案においてのモータが高い回転数になる時の電流波形図である。本考案は、図のように、温度制御のブラシレスモータ制御回路であり、当該制御回路は、制御素子１０と、ホール素子１１と、負の温度係數を有する温度検知素子（NTC negative temperature coefficient）１２と、モータ１３と、コネクター１８と、複数のトランジスターやダイオード、抵抗及び容量とからなり、これにより、負の温度係數を有する温度検知素子で環境温度を検知して、フィードバックし、モータ１３の回転数を制御することによりシステムの温度を維持し、そして、本考案の制御素子１０と限流抵抗１5１とを利用して、適当な電流を提供することで、過熱によるオフになる現象を防止する。
【０００８】
上記の制御素子１０は制御回路の中心であり、また、当該制御素子１０は、LB１８６８Mチップや、他の類似する機能を有するワンチップ素子であり、当該制御素子１０の第１のピン（IN-）にはホール素子１１が接続され、また、当該制御素子１０の第１のピンはホール素子１１の第４のピン（IN-）と接続し、当該ホール素子１１はモータ１３のローターの位置を検知することに供し、これにより、モータの稼動状況が分かり、
当該制御素子１０の第２のピン（IN+）は上記のホール素子１１の第２のピン（IN+）と接続し、
当該制御素子１０の第３のピン（CT）には第１の容量１９１が接続され、また、当該ホール素子１１の第３のピンと接続してグラウンドし、
当該制御素子１０の第６のピン（OUT１）には第１、2、3、４の抵抗１４１、１４２、１４３、１４４が接続され、また、当該第４の抵抗１４４を介して制御素子１０の第９のピン（OUT2）と接続し、当該第１、2の抵抗１４１、１４２の間には第３のトランジスター１６３のベースが接続され、また、当該第３、４の抵抗１４３、１４４の間には第４のトランジスター１６４のベースが接続され、また、当該第３、４のトランジスター１６３、１６４のエミッタの間には第１のダイオード１７１が接続され、当該第１のダイオード１７１は電源に接続され、また、当該第３、４のトランジスター１６３、１６４のコレクタにはモータ１３が接続され、当該モータ１３には第２のダイオード１７２と第３のダイオード１７３が接続され、また、当該第１のと第２のダイオード１７２、１７３の間にはツェナーダイオード１７５(Zener Diode)が接続され、当該ツェナーダイオード１７５には、さらに、第２のトランジスター１６２が接続され、当該第２のトランジスター１６２には第５、６、７の抵抗１４５、１４６、１４７が接続され、当該第６の抵抗１４６は、当該ツェナーダイオード１７５に接続され、また、当該第７の抵抗１４７は、電源と接続され、また、当該第５と第７の抵抗１４５、１４７の間には第１のトランジスター１６１のベースが接続され、当該第１のトランジスター１６１のコレクタには第８の抵抗１４８が接続され、エミッタには第４のダイオード１７４が接続され、また、当該第４のダイオード１７４には、それぞれに、第９の抵抗１４９と負の温度係數を有する温度検知素子（NTC negative temperature coefficient）１２とが接続され、負の温度係數を有する温度検知素子１２は電源及びコネクター１８の第３のピンと接続され、当該コネクター１８の第２のピンは当該第９の抵抗１４９と接続してから、グラウンドし、
当該制御素子１０の第７のピン（GND）はグラウンドであり、
当該制御素子１０の第１０のピン（Z１）は第１１のピン（Z2）と接続され、
当該制御素子１０の第１３のピン（RD）は当該コネクター１８の第１のピンと接続され、当該制御素子１０の第１４のピン（VIN）には第１０の抵抗１５０が接続され、第１０の抵抗１５０はホール素子１１の第１のピンと接続され、また、当該第１４のピンには、更に、電源と接続される第１１の抵抗１５１と、グラウンドするための第２の容量１９２とが接続され、その中、当該第１１の抵抗１５１は、限流抵抗として、電流過大による熱効果を防止し、また、当該第２の容量１９２とあわせて、当該制御素子１０の第７のピンと接続され、これにより、逆方向保護及び減圧回路１や、トランジスター増幅回路１a、磁気ノイズ削除及び保護回路１b、負の温度係數を有する温度検知素子１２及び温度制御線路１c（図１のように）が構成される。
当該逆方向保護及減圧回路１は、第１１の抵抗１５１と第１のダイオード１７１と、からなり、当該第１のダイオード１７１により逆方向電圧をフィードバックすることを防止するとともに、逆方向に接続頭を接続することにより保護線路制御素子１０が破壊されることを防止し、また、当該第１１の抵抗１５１により制御素子１０の電圧を許可される範圍に保持する。
【０００９】
当該トランジスター増幅回路１aは、第１の抵抗１４１と、第２の抵抗１４２と、第３の抵抗１４３と、第４の抵抗１４４と、第３のトランジスター１６３と、第４のトランジスター１６４とからなり、当該制御素子１０の出力パワーが、固定であるから、出力パワーを強化するために、二つのトランジスター（第３のトランジスター１６３と第４のトランジスター１６４）を追加して、増幅機能を実現し、ダーリントン回路はここにおいて一番大切であり、そして、周辺にある四つの抵抗（第１の抵抗１４１、第２の抵抗１４２、第３の抵抗１４３、第４の抵抗１４４）は偏圧抵抗である。
【００１０】
当該磁気ノイズ削除及び保護回路１bは、第２のダイオード１７２と、第３のダイオード１７３と、ツェナーダイオード１７５とからなり、そして、コイル（モータ１３）の両端に接続され、コイル端の逆起電力を防止し、ツェナーの主な機能は定圧であり、逆起電力を同一の電圧下に抑制し、超えたものをツェナーで削除する。同時、両誘導の間に発生した細微な磁気ノイズも、この回路によって吸收される。
【００１１】
当該負の温度係數を有する温度検知素子１２と、温度制御線路１cとは、温度検知素子１２と、第５の抵抗１４５と、第６の抵抗１４６と、第７の抵抗１４７と、第８の抵抗１４８と、第９の抵抗１４９、第１のトランジスター１６１と、第２のトランジスター１６２と、第４のダイオード１７４とからなり、単に、負の温度係數を有する温度検知素子１２により温度を感応し、更に電圧差異の比較を利用して、第２のトランジスター１６２（MOSFET）をスイッチとし、回転数は温度の上昇に従って上昇する。これは、この回路のキーポイントであり、更に、多数の抵抗（第５の抵抗１４５、第６の抵抗１４６、第７の抵抗１４７、第８の抵抗１４８、第９の抵抗１４９）により、電圧を調整して、より満足的な回転数が得られ、これにより、負の温度係數を有する温度検知素子１２の温度係數及びその自体の抵抗変化に加えて、この電圧比較回路を利用すれば、規定した温度より低い温度で特定の回転数が達成できる。
【００１２】
これにより、制御素子１０は熱シャットダウン(Thermal shutdown)の現象が行わず、これにより、上記の制御回路によって新規な改良型温度制御のブラシレスモータ制御回路が構成され、電源オンする時、直ちに、信号が制御素子１０に転送されて、制御素子１０を駆動することにより、半波制御信号を生成してモータ１３を制御し、その波形図は、図４のようで、モータ１３の低い回転数の電流波形図であり、図４の上半部は、本考案に係わるモータが低稼動時の出力の電流波形で、下半部は、図２の制御素子１０（即ち、LB１８６８Mチップ）の第１３のピンの標準信号線波形であり、図から分かるように、当該ファン出力電流のピークは、７２０mAであり、制御素子１０（DRIVE IC）の出力パワーを利用するとともに、トランジスター増幅を利用することにより、モータ１３が高速稼動する時、ホール素子１１と、負の温度係數を有する温度検知素子１２とによって、随時に、モータ１３の稼動状態を把握して、調整し、図５は、当該モータ１３が高回転数である時の電流波形図で、当該温度制御回路とMOSFETとをスイッチとする回路を経由した後の波形図であり、図５において、上半部は、本考案に係わるモータが高稼動する時の出力の電流波形で、下半部は、図２の制御素子１０（即ち、LB１８６８Mチップ）の第１３のピンの標準信号線波形であり、図から分かるように、当該ファン出力電流のピークは、１.２２Aであり、そのため、図４、５から分かるように、本考案は、モータにあわせて、制御素子１０（即ち、LB１８６８Mチップ）と、負の温度係數を有する温度検知素子（NTC）とを利用することにより、確実に、出力パワーを低減でき、更に、当該IC入力電流を低減でき、そのため、図４、５から、本考案が、負の温度係數を有する温度検知素子（NTC）の信号により、異なる環境温度のモータの回転数を制御して、速度を調整でき、これによっては、制御素子１０は、使用する時の入力された制御素子のピーク電流が高すぎることによる、熱シャットダウンの現象(Thermal shut down)にならず、上記の回路素子を組み立てることによっては、モータの制御が、より効率的になり、また、上記の回路素子には、更に、容量や、抵抗、ダイオード或いはトランジスター等の回路基本素子を直列や並列して、実際に応用する時の特別なニーズに対応し、例えば、マッチング等であり、また、以上は、本考案の実施例であるが、本考案は、其れにより制限されるものではない。
【００１３】
以上のように、この技術を熟知するものであれば、本考案が確実に前記の目的を達成できると分かり、そのため、実用新案法の規定に符合すると認め、法により出願する。
【図面の簡単な説明】
【００１４】
【図１】本考案のブロック区分図である。
【図２】本考案に係わる制御回路の回路図である。
【図３】本考案に係わる制御素子の回路図である。
【図４】本考案に係わるモータの低回転数の電流波形図である。
【図５】本考案に係わるモータの高回転数時の電流波形図である。
【図６】従来の制御回路図である。
【符号の説明】
【００１５】
（本考案部分）：
１     逆方向保護及減圧回路
１a    トランジスター増幅回路
１b    磁気ノイズ削除及び保護回路
１c    温度検知素子（NTC）及温度制御線路
１０   制御素子
１１   ホール素子
１２   負の温度係數を有する温度検知素子
１３   モータ
１４１ 第１の抵抗
１４２ 第２の抵抗
１４３ 第３の抵抗
１４４ 第４の抵抗
１４５ 第５の抵抗
１４６ 第６の抵抗
１４７ 第７の抵抗
１４８ 第８の抵抗
１４９ 第９の抵抗
１５０ 第１０の抵抗
１５１ 第１１の抵抗
１６１ 第１のトランジスター
１６２ 第２のトランジスター
１６３ 第３のトランジスター
１６４ 第４のトランジスター
１７１ 第１のダイオード
１７２ 第２のダイオード
１７３ 第３のダイオード
１７４ 第４のダイオード
１７５ ツェナーダイオード
１８   コネクター
１９１ 第１の容量
１９２ 第２の容量
（従来部分）：
A      ホール素子
B      モータ
D      ダイオード
E      第１の抵抗
F      第２の抵抗
G      制御素子 
【図１】
0003106141.tif 000003
【図２】
0003106141.tif 000004
【図３】
0003106141.tif 000005
【図６】
0003106141.tif 000006
【図４】
0003106141.tif 000007
【図５】
0003106141.tif 000008